(57)【要約】【課題】信号歪みを低減可能な電子放出型表示装置及びその駆動方法及びを提供する。【解決手段】データ駆動信号がデータ駆動部で所定のデータ電圧レベルを有する表示データ信号に変換されて電子放出パネルのデータ電極ラインに印加される電子放出型表示装置の駆動方法であって、ブランキング中において、後続の表示データ信号に応じた補助電圧ＶＭ、ＶＬが印加され、複数のブランキング期間の間にあるアクティブ期間中において、前記表示データ信号Ｄａｔａが印加される。【選択図】図６Ａ
2005338802.tif 000002
【特許請求の範囲】
【請求項１】
データ駆動信号がデータ駆動部で所定のデータ電圧レベルを有する表示データ信号に変換されて電子放出パネルのデータ電極ラインに印加される電子放出型表示装置の駆動方法であって、
ブランキング期間中において、当該ブランキング期間直後のアクティブ期間に前記データ電極ラインに印加されるべき後続の表示データ信号に応じた補助電圧が、それぞれの前記データ電極ラインに印加され、
複数のブランキング期間の間にあるアクティブ期間中において、前記表示データ信号が、それぞれの前記データ電極ラインに印加されることを特徴とする電子放出型表示装置の駆動方法。
【請求項２】
前記後続の表示データ信号がハイレベルであるときには前記補助電圧として中間レベル電圧が印加され、前記後続の表示データ信号がローレベルであるときには前記補助電圧としてローレベル電圧が印加されることを特徴とする請求項１に記載の電子放出型表示装置の駆動方法。
【請求項３】
前記中間レベル電圧の絶対値は、前記データ電極ラインが動作する閾値電圧より低いことを特徴とする請求項２に記載の電子放出型表示装置の駆動方法。
【請求項４】
前記中間レベル電圧の絶対値は、前記データ電極ラインに印加されるハイレベル電圧の５０％の大きさを有することを特徴とする請求項２に記載の電子放出型表示装置の駆動方法。
【請求項５】
前記ローレベル電圧は、接地電位を有することを特徴とする請求項２に記載の電子放出型表示装置の駆動方法。
【請求項６】
データ駆動信号がデータ駆動部で所定のデータ電圧レベルを有する表示データ信号に変換されて電子放出パネルのデータ電極ラインに印加される電子放出型表示装置であって、
順次に入力されたデータ駆動信号を階調信号に応じて変調して表示データ信号に変換する変調用比較部と、
前記変調された表示データ信号を前記データ電極ラインの駆動に必要なデータ電圧レベルに増幅させる高電圧バッファ部と、
ブランキング期間直後のアクティブ期間中にそれぞれのデータ電極ラインに対して印加されるべき後続の表示データ信号に対応する後続のデータ駆動信号を受ける順次データ検出部と、
前記後続のデータ駆動信号に応じて、中間レベル電圧とローレベル電圧のうち何れか一つをそれぞれの前記データ電極ラインに出力するマルチプレクサと、を含むことを特徴とする電子放出型表示装置。
【請求項７】
前記マルチプレクサは、ブランキング期間中において、前記後続の表示データ信号に応じた補助電圧を前記データ電極ラインに印加し、
前記高電圧バッファ部は、複数のブランキング期間の間にあるアクティブ期間中において、前記表示データ信号を前記データ電極ラインに印加することを特徴とする請求項６に記載の電子放出型表示装置。
【請求項８】
前記マルチプレクサは、前記後続の表示データ信号がハイレベルであるときには前記補助電圧として前記データ電極ラインに中間レベル電圧を印加し、前記後続の表示データ信号がローレベルであるときには前記補助電圧として前記データ電極ラインにローレベル電圧を印加することを特徴とする請求項７に記載の電子放出型表示装置。
【請求項９】
前記中間レベル電圧の絶対値は、前記データ電極ラインが動作する閾値電圧より低いことを特徴とする請求項７に記載の電子放出型表示装置。
【請求項１０】
前記中間レベル電圧の絶対値は、前記データ電極ラインに印加されるハイレベル電圧の５０％の大きさを有することを特徴とする請求項７に記載の電子放出型表示装置。
【請求項１１】
前記ローレベル電圧は、接地電位を有することを特徴とする請求項７に記載の電子放出型表示装置。
【請求項１２】
前記変調用比較部は、入力されたデータ駆動信号を階調信号に応じてパルス幅変調またはパルス振幅変調して表示データ信号に変換することを特徴とする請求項６に記載の電子放出型表示装置。
【発明の詳細な説明】
【技術分野】
【０００１】
本発明は、信号歪みを低減する電子放出型表示装置及びその駆動方法に係り、より詳細には、表示データ信号が出力される直前のブランキング区間で電極ラインのインピーダンスによって発生する波形歪みまたは信号遅延を補償する電子放出型表示装置及びその駆動方法に関する。
【背景技術】
【０００２】
一般的な電子放出型表示装置（エレクトロンエミッションディスプレイ：ＥＥＤ）は、大別して、電子放出パネルとその駆動装置で構成される。電子放出型表示装置では、駆動装置が電子放出パネルのアノード電極に正極性電圧を印加した状態で、ゲート電極に正極性電圧を印加するとともに、カソード電極に負極性電圧を印加することによって、カソード電極から電子が放出されてゲート電極に向けて加速され、アノード電極に収束され、アノード電極の前にある蛍光セルに衝突して光を放射する。
【０００３】
ゲート電極が走査電極として使われ、カソード電極がデータ電極として使われてもよく、逆にゲート電極がデータ電極として使われ、カソード電極が走査電極として使われてもよい。
【０００４】
図１は、従来の電子放出型表示装置の概略的なブロック図である。
【０００５】
電子放出型表示装置は、電子放出パネル１０及びその駆動装置１５〜１９を含む。電子放出パネル１０の駆動装置は、映像処理部１５、パネル制御部１６、走査駆動部１７、データ駆動部１８、及び電源供給部１９を含む。
【０００６】
映像処理部１５は、外部アナログ映像信号をデジタル信号に変換して内部映像信号、例えば、赤色（Ｒ）、緑色（Ｇ）、及び青色（Ｂ）の映像データ、クロック信号、垂直及び水平同期信号を発生させる。
【０００７】
パネル制御部１６は、映像処理部１５からの内部映像信号によってデータ駆動制御信号ＳＤ及び走査駆動制御信号ＳＳからなる駆動制御信号ＳＤ、ＳＳを発生させる。データ駆動部１８は、パネル制御部１６からの駆動制御信号ＳＤ、ＳＳのうちデータ駆動制御信号ＳＤを処理して表示データ信号を発生させ、発生した表示データ信号を電子放出パネル１０のデータ電極ラインに印加する。データ電極ラインは、カソード電極ラインＣＲ１，…，ＣＢｍまたはゲート電極ラインＧ１，…，Ｇｎが用いられる。一方、走査駆動部１７は、パネル制御部１６からの駆動制御信号ＳＤ、ＳＳのうち走査駆動制御信号ＳＳを処理して走査電極ラインに印加する。走査電極ラインは、ゲート電極ラインＧ１，…，Ｇｎまたはカソード電極ラインＣＲ１，…，ＣＢｍが用いられる。
【０００８】
そして、電源供給部１９は、映像処理部１５、パネル制御部１６、走査駆動部１７、データ駆動部１８、及び電子放出パネル１０のアノード電極に電源を印加する。
【０００９】
次に、電子放出型表示装置の動作を以下の通りに説明する。
【００１０】
例えば、電子放出パネル１０のカソード電極ＣＲ１，…，ＣＢｍにデータ電極ラインが接続しており、ゲート電極Ｇ１，…，Ｇｎに走査電極ラインが接続している場合、アノード電極に正極性電圧を印加した状態で、走査電極ラインを通じてゲート電極Ｇ１，…，Ｇｎに正極性電圧を印加し、データ電極ラインを通じてカソード電極ＣＲ１，…，ＣＢｍに負極性電圧を印加することによって、カソード電極から電子が放出される。放出された電子は、ゲート電極に向けて加速され、アノード電極に収束され、アノード電極の前にある蛍光セルに衝突して光を放射する。
【００１１】
以上、カソード電極ＣＲ１，…，ＣＢｍにデータ電極ラインが接続されており、ゲート電極Ｇ１，…，Ｇｎに走査電極ラインが接続された場合を基準として電子放出型表示装置の動作を説明したが、逆にゲート電極Ｇ１，…，Ｇｎにデータ電極ラインが接続されており、カソード電極ＣＲ１，…，ＣＢｍに走査電極ラインが接続されてもよいことは当然である。
【００１２】
一方、電子放出パネル１０の輝度を調節するための階調制御方式には、データ信号パルスの印加時間を制御するパルス幅変調（Ｐｕｌｓｅ  Ｗｉｄｔｈ  Ｍｏｄｕｌａｔｉｏｎ：ＰＷＭ）方式と、データ信号パルスの電圧振幅を制御するパルス振幅変調（Ｐｕｌｓｅ  Ａｍｐｌｉｔｕｄｅ  Ｍｏｄｕｌａｔｉｏｎ：ＰＡＭ）方式がある。ＰＷＭ方式においては、パネル制御部１６において、映像データに含まれた階調情報に応じて階調信号を発生させ、データ駆動部１８では入力されたデータ駆動制御信号ＳＤに含まれたデータ駆動信号を階調信号に応じてパルス幅変調（ＰＷＭ）した後にパネル電極を駆動できる電圧に昇圧させることによって、表示データ信号を完成させてデータ電極ラインに出力する。ＰＡＭ方式においては、データ駆動部１８では、入力されたデータ駆動制御信号ＳＤに含まれたデータ駆動信号を階調信号に応じてパルス振幅変調（ＰＡＭ）した後にパネル電極を駆動できる電圧に昇圧させることによって、表示データ信号を完成させてデータ電極ラインに出力する。
【００１３】
図２は、電子放出パネルに印加される表示データ信号の理想的な波形図であり、図３は、パネルの電極ラインのインピーダンス成分によって信号のパルス波形が歪みまたは遅延される現象を示した波形図である。
【００１４】
表示データ信号がゲート電極ラインＧ１，…，Ｇｎに印加される場合には図２のように正極性の表示データ信号が印加される。図２に示されたように、印加時点ｔ１で、放出開始電圧Ｖｔｈを超過する電圧Ｖｃを有する表示データ信号が印加され、終了時点ｔ２で終了する。したがって、理想的な表示データ信号であれば、印加時点ｔ１でデータ電極から電子が放出されなければならない。
【００１５】
しかし、電子放出パネル１０には、製造工程上の環境的要因または材料によって電極ラインの抵抗及びキャパシタンスなどのインピーダンス成分が存在し、それにより、印加されるデータ信号または走査信号のパルス波形の歪みまたは遅延が発生する。したがって、表示データ信号が印加された画素では、パルス遅延により輝度低下が発生する。また、インピーダンス成分に応じて相異なる輝度の光が出力されるので、同じデータ信号が印加されており本来あれば輝度差が生じないはずの画素間にも輝度差が発生する。
【００１６】
図３に波形図に示されるように、表示データ信号の遅延によって、放出開始時点、すなわち放出開始電圧Ｖｔｈを超過する時点はｔ１からｔ１’に遅延され、放出終了時点はｔ２からｔ２’に遅延される。この場合、Ａ１で示した領域に相当するエネルギーがパネルから出力されないといった問題点が発生し、Ａ２で示した領域に相当する意図せぬエネルギーがパネルから出力されるといった問題が発生する。一般的には、出力されないエネルギーＡ１が、意図ぜずに出力されるエネルギーＡ２より大きいので、全体としては、パネルから放出される光の輝度が低下する。
【００１７】
一方、表示データ信号の遅延及び歪みを克服するための公知の技術としては、特許文献１で提案されたように、データ駆動部内部に電圧選択手段を設置したものがある。データ駆動部内に設置された前記電圧選択手段では、パルス幅変調されたデータ信号に、パルス振幅変調を追加的に加えることによって、パルス幅変調されたデータに輝度情報を追加する。この結果、パネルの輝度を高め、信号遅延を減らせる。しかし、パルス振幅変調の変調レベルが大きい場合には、微細な電圧変調を実行することが相変らず難しい。
【００１８】
一方、特許文献２では、走査電圧の立ち下りエッジに負（−）の極性を有するタブ電圧を付加させて走査電圧の下降幅を大きくして遅延時間を低減させる技術が提案されているが、電圧振幅を変化させることによって、開発者が目的とする輝度と異なる恐れがある。
【００１９】
また、特許文献３では、放出電流が時間の経過によって低くなる点を考慮して、ゲート電極の駆動電圧を基準レベルの駆動電圧より高い駆動電圧で駆動させるとともに、所望の電流以上に電流が流れないようにカソード電極にＦＥＴ（電界効果型トランジスタ）を連結した補償回路を提案されている。しかし、パネルから出力されるグレーレベルによる輝度は放出電流及び駆動電圧に対して非線形的であるので、当該特許文献３の補償回路によっては、所望の輝度を出力するための正確な駆動電圧を把握して適応的に補償することができず、また、データ電極に必要以上の過度な駆動電圧が加えれる場合には、電子放出源がさらに劣化し易く、装置の寿命がさらに短くなる恐れがある。
【００２０】
一方、特許文献４では、データ駆動器から出力されたデータ電圧が液晶パネルの各画素に印加される前の一定期間の間に画素に既に充電されている電圧を予備キャパシタを利用して予め充電または放電させることによって、画素へのデータ電圧の充電時間を短縮させる技術が開示されている。
【特許文献１】特開平７−１８１９１６号公報
【特許文献２】大韓民国特許出願公開第１９９８−００８２９７３号明細書
【特許文献３】米国特許出願公開第２００４／０００４５８８号明細書
【特許文献４】大韓民国特許出願公開第１９９９−００２６５８１号明細書
【発明の開示】
【発明が解決しようとする課題】
【００２１】
本発明は前記問題点を解決するために創案されたものであって、本発明の目的は、パネルのデータ電極ラインのインピーダンスによって発生する表示データ信号の波形歪み及び信号遅延を低減する電子放出型表示装置及びその駆動方法を提供することである。
【課題を解決するための手段】
【００２２】
前記目的を達成するための本発明に係る電子放出型表示装置の駆動方法は、データ駆動信号がデータ駆動部で所定のデータ電圧レベルを有する表示データ信号に変換されて電子放出パネルのデータ電極ラインに印加される電子放出型表示装置の駆動方法であって、ブランキング期間中において、当該ブランキング期間直後のアクティブ期間に前記データ電極ラインに印加されるべき後続の表示データ信号に応じた補助信号が、それぞれの前記データ電極ラインに印加され、複数のブランキング期間の間にあるアクティブ期間中において、前記表示データ信号が、それぞれの前記データ電極ラインに印加されることを特徴とする。
【００２３】
また、前記後続の表示データ信号がハイレベルであるときには前記補助電圧として中間レベル電圧が印加され、前記後続の表示データ信号がローレベルであるときには前記補助電圧としてローレベル電圧が印加される。
【００２４】
すなわち、ブランキング期間に補助電圧が印加された後、アクティブ期間に表示データ信号が印加され、アクティブ期間直前のブランキング期間では、後続の表示データ信号がハイレベルであるときには、予め中間レベル電圧をデータ電極ラインに印加し、後続の表示データ信号がローレベルであるときには、予めローレベル電圧をデータ電極ラインに印加する。したがって、後続する表示データ信号の電圧レベルによって予め適切な大きさの電圧を印加させることによって波形の立ち上がり時間が顕著に短縮され、これによって波形歪み及び遅延が低減する。
【００２５】
また、前記中間レベル電圧の絶対値は、前記データ電極ラインが動作する閾値電圧より低い。
【００２６】
また、前記中間レベル電圧の絶対値は、好ましくは、前記データ電極ラインに印加されるハイレベル電圧の５０％の大きさを有する。
【００２７】
前記ローレベル電圧は、好ましくは、接地電位を有する。
【００２８】
一方、本発明に係る電子放出型表示装置は、データ駆動信号がデータ駆動部で所定のデータ電圧レベルを有する表示データ信号に変換されて電子放出パネルのデータ電極ラインに印加される電子放出型表示装置であって、順次に入力されたデータ駆動信号を階調信号に応じて変調して表示データ信号に変換する変調用比較部と、前記変調された表示データ信号を前記データ電極ラインの駆動に必要なデータ電圧レベルに増幅させる高電圧バッファ部と、ブランキング期間直後のアクティブ期間中にそれぞれのデータ電極ラインに対して印加されるべき後続の表示データ信号に対応する後続のデータ駆動信号を受ける順次データ検出部と、前記後続のデータ駆動信号に応じて、中間レベル電圧とローレベル電圧のうち何れか一つをそれぞれの前記データ電極ラインに出力するマルチプレクサと、を含むことを特徴とする。
【００２９】
また、前記マルチプレクサは、ブランキング期間中において、前記後続の表示データ信号に応じた補助電圧を前記データ電極ラインに印加し、前記高電圧バッファ部は、複数のブランキング期間の間にあるアクティブ期間中において、前記表示データ信号を前記データ電極ラインに印加する。
【００３０】
前記マルチプレクサは、前記後続の表示データ信号がハイレベルであるときには前記補助電圧として前記データ電極ラインに中間レベル電圧を印加し、前記後続の表示データ信号がローレベルであるときには前記補助電圧として前記データ電極ラインにローレベル電圧を印加する。
【００３１】
また、前記中間レベル電圧の絶対値は、前記データ電極ラインが動作する閾値電圧より低い。前記中間レベル電圧の絶対値は、好ましくは、前記データ電極ラインに印加されるハイレベル電圧の５０％の大きさを有する。
【００３２】
前記ローレベル電圧は、好ましくは、接地電位を有する。
【００３３】
前記変調用比較部は、入力されたデータ駆動信号を階調信号に応じてパルス幅変調またはパルス振幅変調して表示データ信号に変換する。順次データがハイレベルである時、データ電極ラインには、マルチプレクサから、ブランキング期間に予め５０％大きさの中間レベル電圧が印加され、その直後のアクティブ期間にはＰＷＭ（パルス幅変調）またはＰＡＭ（パルス駿府苦変調）されたデータ駆動信号が印加される。
【発明の効果】
【００３４】
本発明に係る電子放出型表示装置およびその駆動方法によれば、パネル電極ラインのインピーダンスによる波形歪み及び信号遅延により発生する発光輝度の低下現象が防止されて発光輝度が高まり、エネルギー効率が向上する。
【００３５】
また、本発明によれば、パネルにおいて同じデータが印加される画素間での輝度の不均一が防止できる。すなわち、パネルのデータ電極ラインのインピーダンスによって波形が不規則に歪む現象を、効果的に低減させることによって、同じデータが印加される上下、左右画素間の輝度の不均一が低減する。
【００３６】
また、本発明によれば、アクティブ期間において画素に印加される表示データ信号の立ち上がり時間または立ち下り時間が大きく短縮されることによって、パネルの駆動速度が速くなる。
【発明を実施するための最良の形態】
【００３７】
以下、本発明に係る電子放出型表示装置及びその駆動方法の望ましい実施の形態を説明する。
【００３８】
図４は、本発明の一実施の形態による電子放出型表示装置のうちの電子放出パネルの斜視図である。
【００３９】
図４を参照すれば、本発明の一実施の形態において、電子放出パネル１は、前面パネル２と背面パネル３とが、その間に設けられたスペースバー（支持体）４１，…，４４によって支持される。
【００４０】
背面パネル３は、背面基板３１、カソード電極ラインＣＲ１，…，ＣＢｍ、電子放出源ＥＲ１１，…，ＥＢｎｍ、絶縁層３３、及びゲート電極ラインＧ１，…，Ｇｎを含む。
【００４１】
データ信号が印加されるカソード電極ラインＣＲ１，…，ＣＢｍは、複数の電子放出源ＥＲ１１，…，ＥＢｎｍと電気的に連結される。第１絶縁層３３及びゲート電極ラインＧ１，…，Ｇｎには電子放出源ＥＲ１１，…，ＥＢｎｍに対応する貫通孔ＨＲ１１，…，ＨＢｎｍが形成される。具体的には、走査信号が印加されるゲート電極ラインＧ１，…，Ｇｎと、カソード電極ラインＣＲ１，…，ＣＢｍとが交差する領域に、貫通孔ＨＲ１１，…，ＨＢｎｍが形成される。
【００４２】
前面パネル２は、前面の透明基板２１、アノード電極２２、及び蛍光セルＦＲ１１，…，ＦＢｎｍを含む。アノード電極２２には電子放出源ＥＲ１１，…，ＥＢｎｍからの電子が蛍光セルに移動するように１ないし４ＫＶの高い正極性電位が印加される。
【００４３】
図５は、本発明の一実施の形態による電子放出型表示装置の駆動方法のフローチャートであり、図６Ａ及び図６Ｂは、経時的にデータ電極ラインに印加される表示データ信号の電圧を示した波形図である。図６Ａは、データ電極ラインにゲート電極が連結され、走査電極ラインにカソード電極が連結された場合の波形図であり、図６Ｂは、データ電極ラインにカソード電極が連結され、走査電極ラインにデータ電極が連結された場合の波形図である。
【００４４】
まず、データ駆動信号が所定の電圧レベルを有する表示データ信号に変換される（Ｓ１０）。データ駆動信号は、パネル１０の電極ラインに印加される表示データ信号に対する制御駆動信号である。例えば、データ駆動信号は、データ駆動部内で階調情報に比例してＰＷＭ（パルス幅変調）またはＰＡＭ（パルス振幅変調）された後に電極ラインの駆動に必要なレベルの高電圧に昇圧されることによって表示データ信号に変換される。
【００４５】
次いで、後続するデータ駆動信号（以下、「順次データ駆動信号」と称する）が如何なるデータを有しているか調査される（Ｓ２０）。すなわち、順次データ駆動信号に対応する、後続する表示データ信号（以下「順次データ」と称する）が、ハイレベルの表示データ信号であるか、ローレベルの表示データ信号であるかが調査される（Ｓ３０）。ここで、順次データ、すなわち後続する表示データ信号は、着目するブランキング期間直後のアクティブ期間に前記データ電極ラインに印加されるべき表示データ信号であり、順次データ駆動信号は、この順次データに変換される前のデータ駆動信号である。
【００４６】
そして、前記調査された順次データ駆動信号により、順次データがハイレベルである場合には（Ｓ３０：はい）、ブランキング期間中にデータ電極ラインに補助電圧として中間レベル電圧ＶＭが印加される（Ｓ４０）。ここで、中間レベル電圧ＶＭによって意図せぬ放出が発生してはならないため、中間レベル電圧ＶＭはデータ電極ラインの放出開始電圧Ｖｔｈ（データ電極ラインが動作する閾値電圧）よりは低いことが望ましい。そして、中間レベル電圧ＶＭは最大放出電圧（データ電極ラインに印加されるハイレベル電圧）の概略５０％であることが望ましい。
【００４７】
次いで、ブランキング期間直後であるアクティブ期間中にはデータ電極ラインに表示データ信号が印加される（Ｓ６０）。この場合、アクティブ期間直前のブランキング期間で既に中間レベル電圧ＶＭだけの電圧が上昇しているため、所望の表示データ信号の電圧レベルにさらに迅速に上昇して立ち上がり時間が短縮される。
【００４８】
一方、段階（Ｓ３０）において、図６ＡのＤａｔａ［ｎ＋１］のように、調査された順次データ駆動信号により、順次データがローレベルである場合には（Ｓ３０：いいえ）、ブランキング期間中に電極ラインにローレベル電圧ＶＬが印加される（Ｓ５０）。ローレベル電圧ＶＬは接地電位であることが望ましいが、設計仕様によっては接地電位より所定の電位だけ高めてもよく、低めてもよい。データ電極のインピーダンスの時定数が大きい場合には、所定の逆電圧を印加することによって立ち下り時間が短縮されうる。
【００４９】
次いで、ブランキング期間直後のアクティブ期間中には、データ電極ラインに表示データ信号が印加される（Ｓ６０）。この場合、図６Ａにおいて、アクティブ期間直前のブランキング期間で既に中間レベル電圧ＶＬだけの電圧が下降しているため、所望の表示データ信号の電圧レベルまでさらに迅速に下降して立ち下り時間が短縮される。
【００５０】
したがって、アクティブ期間直前のブランキング期間で、順次データ、すなわち、当該ブランキング期間の直後のアクティブ期間にデータ電極ラインに印加されるべき後続の表示データに信号に応じて、予め所定の補助電圧をデータ電極ラインに印加しておくことによって、前記後続の表示データ信号がデータ電極ラインに印加される時に、立ち上がり時間または立ち下り時間が短縮され、それによって波形歪みまたは信号遅延を低減させうる。
【００５１】
例えば、図６Ａを参照すれば、ｎ番目のアクティブ期間にはｎ番目のデータ駆動信号Ｄａｔａ［ｎ］による表示データ信号が出力され、ｎ番目のアクティブ期間直前にあるブランキング期間にはｎ番目の補助電圧印加パルスＢＫ［ｎ］が存在する。
【００５２】
ｎ番目のアクティブ期間直前にあるブランキング期間において、最大印加電圧Ｖｃの半分に該当する中間レベル電圧ＶＭが印加される。これにより、表示データ信号が出力されるべきｎ番目のアクティブ期間が始まるときには、既に表示データ信号が中間レベル電圧ＶＭに到達している。したがって、ｎ番目のアクティブ期間において、表示データ信号は、波形歪み及び信号遅延の影響をあまり受けずに所望の最大印加電圧Ｖｃまで迅速に上昇できる。
【００５３】
次いで、ｎ＋１番目アクティブ期間直前にあるブランキング期間において、接地電圧に該当するローレベル電圧ＶＬが印加される。これにより、表示データ信号が出力されるべきｎ＋１番目のアクティブ期間が始まるときには、既に表示データ信号がローレベル電圧ＶＬに到達している。
【００５４】
データ電極ラインがゲート電極ラインである場合には、図６Ｂのように、ｎ番目のアクティブ期間直前にあるブランキング期間において、絶対値で最大印加電圧Ｖｃの半分に該当する中間レベル電圧ＶＭが印加される。これにより、表示データ信号が出力されるべきｎ番目のアクティブ期間が始まるときには、既に表示データ信号が中間レベル電圧ＶＭに到達している。したがって、ｎ番目のアクティブ期間で表示データ信号は、波形歪み及び信号遅延の影響をあまり受けずに所望の最大印加電圧Ｖｃまで迅速に下降できる。
【００５５】
次いで、ｎ＋１番目アクティブ期間直前にあるブランキング期間において、接地電圧に該当するローレベル電圧ＶＬが印加される。これにより、表示データ信号が出力されるべきｎ＋１番目のアクティブ期間が始まるときには、既に表示データ信号がローレベル電圧ＶＬに到達している。アクティブ期間直前のブランキング期間で既にローレベル電圧ＶＬまで電圧が上昇しているため、立ち上がり時間が短縮する。
【００５６】
以下、添付された図面を参照して、本発明の望ましい実施の形態による電子放出型表示装置について説明する。
【００５７】
図７は、本発明の一実施の形態による電子放出型表示装置の順次データ検出部１８６及びマルチプレクサ１８７を示したブロック図である。
【００５８】
順次データ検出部１８６は、順次データ駆動信号Ｄａｔａ［ｎ］を受けて、対応する順次データがハイレベルであるかローレベルであるかを調べる。例えば、順次データがハイレベルである場合には“１”の選択信号を出力し、順次データがローレベルである場合には“０”の選択信号を出力する。
【００５９】
前記選択信号は、マルチプレクサ１８７の選択信号入力端子ｓに入力される。マルチプレクサ１８７は補助電圧として中間レベル電圧ＶＭとローレベル電圧ＶＬのうち何れか一つを選択してデータ電極ラインに出力する。例えば、マルチプレクサ１８７は選択信号入力端子ｓに入力された選択信号が“１”である場合には中間レベル電圧ＶＭをデータ電極ラインに出力し、前記選択信号が“０”である場合にはローレベル電圧ＶＬを選択してデータ電極ラインに出力する。マルチプレクサ１８７は、ブランキング期間ごとに補助電圧印加パルスＢＫを受けて補助電圧をデータ電極ラインに出力する。すなわち、マルチプレクサ１８７は、順次データ駆動信号、特に、順次データに応じて、中間レベル電圧とローレベル電圧のうち何れか一つをそれぞれの前記データ電極ラインに出力する。
【００６０】
データ電極ラインには、ブランキング期間直後のアクティブ期間に、所望の電圧レベルＶｃを有する表示データ信号Ｖｃ［ｎ］が印加される。表示データ信号は、通常、データ駆動部１８の高電圧バッファ部（図８の１８９）から印加されるが、それに限定されない。表示データ信号は、アクティブ信号ＣＫ［ｎ］により印加されてもよい。このためには、アクティブ信号ＣＫ［ｎ］が印加される間にだけ表示データ信号が出力されるとともに、補助電圧が高電圧バッファ部に影響を及ぼさないようにするために、図７に示されるようなサイリスタＤ２を備えうる。
【００６１】
高電圧の表示データ信号Ｖｃ［ｎ］をマルチプレクサ１８７に流入させないために、マルチプレクサ１８７の出力端にはダイオードＤ１を設けることが望ましい。
【００６２】
図８は、本発明の一実施の形態による電子放出型表示装置のデータ駆動部を示したブロック図である。
【００６３】
本発明に係る電子放出型表示装置は、データ駆動信号がデータ駆動部で所定のデータ電圧レベルを有する表示データ信号に変換されて電子放出パネルのデータ電極ラインに印加される電子放出型表示装置である。
【００６４】
図８を参照すれば、データ駆動部１８は、データ駆動信号Ｄａｔａが入力されるシフトレジスタ１８１と、データ駆動信号Ｄａｔａの集合を並列に一時保存するラッチレジスタ１８３と、パラレル映像データをそれぞれ階調信号と一致する度に出力する変調用比較部１８５と、変調された信号を最終的にデータ電極ラインに出力するための高電圧バッファ部１８９と、を含む。
【００６５】
シフトレジスタ１８１は、１水平ラインのデータ駆動信号を順次に受信して、順次に保存する。データ駆動信号は、パネル制御部１６から入力される。データ駆動部１８のシフトレジスタ１８１は、１水平ラインのシリアルデータ駆動信号を保存して、パラレルデータ駆動信号を出力する役割をする。ラッチレジスタ１８３は、シフトレジスタ１８１から１水平ラインのパラレルデータ駆動信号を受信して保存するとともに、例えば、出力イネーブル信号の印加を受けて、変調用比較部１８５に１水平ラインのパラレルデータ駆動信号を一度に伝送する。
【００６６】
変調用比較部１８５は、順次に入力されたデータ駆動信号を階調信号に応じて変調して表示データ信号に変換する。具体的には、変調用比較部１８５は、ラッチレジスタ１８３からのパラレルデータ駆動信号を階調信号と比較し、パラレルデータ駆動信号と階調信号とが一致する度にパルス幅変調（ＰＷＭ）またはパルス振幅変調（ＰＡＭ）を行って、パラレルデータ駆動信号を表示データ信号としてデータ電極ラインに向けて出力する。
【００６７】
変調されたデータ信号は、所定の論理ゲート集合を経ることもできる。例えば、データ電極ラインに連結された電極がカソード電極ＣＲ１，…，ＣＢｍである場合には、インバータなどの論理ゲートを経ることによって、データ信号の電圧パルスを逆相に反転させてもよい。高電圧バッファ部１８９は、変調された表示データ信号の大きさをデータ電極ラインに連結された電極（例えば、カソード電極またはゲート電極）の駆動に必要な高電圧レベルに上昇させる。すなわち、前記変調された表示データ信号を前記データ電極ラインの駆動に必要なデータ電圧レベルに増幅させる。
【００６８】
そして、図８の右側には、順次データ検出部１８６が示されている。順次データ検出部１８６は、ラッチレジスタ１８３からのパラレルデータ駆動信号を受けて、順次データ駆動信号を調べる。すなわち、順次データ検出部１８６は、ブランキング期間直後のアクティブ期間中にそれぞれのデータ電極ラインに対して印加されるべき後続の表示データ信号（順次データ）に対応する後続のデータ駆動信号（順次データ駆動信号）を受けて、順次データ駆動信号を調べる。順次データ検出部１８６は、各データ電極ラインに対応する複数のデータ検出器からなる。
【００６９】
そして、順次データ検出部１８６は、電圧選択信号をマルチプレクサ１８７に出力する。マルチプレクサ１８７には、補助電圧である中間レベル電圧ＶＭとローレベル電圧ＶＬが入力され、順次データ検出部１８６から選択信号入力端子ｓを通じて入力された選択信号によって中間レベル電圧ＶＭとローレベル電圧ＶＬのうち何れか一つをデータ電極ラインに出力する。マルチプレクサ１８７は、ブランキング期間にだけ印加される補助電圧印加パルスＢＫが入力された時に、前記補助電圧を出力する。
【００７０】
一方、高電圧バッファ部１８９は、複数のブランキング期間の間にあるアクティブ期間中に前記データ電極ラインに前記表示データ信号を印加させる。例えば、高電圧バッファ部１８９は、アクティブ期間であることを知らせるアクティブ信号ＣＫが入力された時に、表示データ信号を印加させる。
【００７１】
マルチプレクサ１８７は、補順次データがハイレベルであるときには、データ電極ラインに補助電圧として中間レベル電圧を印加し、順次データがローレベルであるときにはデータ電極ラインに補助電圧としてローレベル電圧を印加する。例えば、マルチプレクサ１８７は、選択信号入力端子ｓに入力された選択信号が“１”である場合には中間レベル電圧ＶＭをデータ電極ラインに出力し、前記選択信号が“０”である場合にはローレベル電圧ＶＬを選択してデータ電極ラインに出力する。そして、前記中間レベル電圧の絶対値は前記データ電極ラインが動作する閾値電圧より低くすべきである。また、中間レベル電圧の絶対値は、データ電極ラインに印加されるハイレベル電圧の５０％の大きさを有することが望ましい。そして、ローレベル電圧ＶＬは接地電位を有することが望ましいが、設計仕様によっては接地電位より所定の電位だけ高めるか、低めうる。データ電極のインピーダンスの時定数が大きい場合には、所定の逆電圧を印加することによって順次データがローレベルである場合に立ち下り時間（データ電極ラインがゲート電極ラインである場合には立ち上がり時間）を短縮しうる。
【００７２】
このようなデータ駆動部１８を備えた電子放出型表示装置において、ｎ番目の順次データがハイレベルである時、データ電極ラインには、マルチプレクサ１８７からブランキング期間に予め５０％大きさの中間レベル電圧が印加され、その直後のアクティブ期間には、パルス幅変調（ＰＷＭ）またはパルス振幅変調（ＰＡＭ）されたデータ駆動信号が印加される。
【００７３】
したがって、図６Ａ（データ電極ラインがゲート電極ラインである場合）または図６Ｂ（データ電極がカソード電極ラインである場合）のように、補正された波形がデータ電極ラインに印加される。これにより、データ電極ラインに印加される信号の上昇または下降にかかる時間が短縮されて、データ電極ラインのインピーダンスによる波形歪みまたは信号遅延が低減されうる。
【００７４】
本発明を最も望ましい実施の形態に基づいて説明したが、前記実施の形態は本発明の理解を助けるためのものであって、本発明の内容がそれに限定されるものではない。本発明の構成に対する一部構成要素の付加、削減、変更、及び修正などがあっても特許請求の範囲によって定義される本発明の技術的思想に属する限り、本発明の範囲に該当する。
【産業上の利用可能性】
【００７５】
本発明は電極ラインに駆動信号が印加されるディスプレイ装置に適用されうる。
【図面の簡単な説明】
【００７６】
【図１】電子放出型表示装置の概略的なブロック図である。
【図２】電子放出パネルに印加される表示データ信号の理想的な波形図である。
【図３】パネルの電極ラインのインピーダンス成分によって、印加される信号のパルス波形が歪みまたは遅延される現象を説明するための波形図である。
【図４】本発明の一実施の形態による電子放出型表示装置のうち電子放出パネルの斜視図である。
【図５】本発明の一実施の形態による電子放出型表示装置の駆動方法のフローチャートである。
【図６Ａ】本発明の一実施の形態による電子放出型表示装置の駆動方法の一例を説明するための波形図である。
【図６Ｂ】本発明の一実施の形態による電子放出型表示装置の駆動方法の他の例を説明するための波形図である。
【図７】本発明の一実施の形態による電子放出型表示装置の順次データ検出部及びマルチプレクサを示したブロック図である。
【図８】本発明の一実施の形態による電子放出型表示装置のデータ駆動部を示したブロック図である。
【符号の説明】
【００７７】
２    前面パネル、
３    背面パネル、
１０    電子放出パネル、
１５    映像処理部、
１６    パネル制御部、
１７    走査駆動部、
１８    データ駆動部、
１８１    データシフトレジスタ、
１８３    ラッチレジスタ、
１８５    変調用比較部、
１８６    順次データ検出部、
１８７    マルチプレクサ、
１９    電源供給部、
２１    前面基板、
２２    アノード電極、
ＦＲ１１，…，ＦＢｎｍ    蛍光セル、
３１    背面基板、
ＣＲ１，…，ＣＢｍ    カソード電極ライン、
ＥＲ１１，…，ＥＢｎｍ    電子放出源、
Ｇ１，…，Ｇｎ    ゲート電極ライン、
ＨＲ１１，…，ＨＢｎｍ    貫通孔、
Ｄ１、Ｄ２    電力用ダイオード、
ＣＫ［ｎ］    アクティブ区間用クロック、
ＢＫ［ｎ］    ブランキング区間用クロック、
ＶＭ    中間レベル電圧、
ＶＬ    ローレベル電圧。
【図１】
2005338802.tif 000003
【図２】
2005338802.tif 000004
【図３】
2005338802.tif 000005
【図４】
2005338802.tif 000006
【図５】
2005338802.tif 000007
【図６Ａ】
2005338802.tif 000008
【図６Ｂ】
2005338802.tif 000009
【図７】
2005338802.tif 000010
【図８】
2005338802.tif 000011